(57)【要約】【課題】形状が嵩張ることもなくコンパクトであり、エプロンや巻きスカートとして常に身に付けることにより買物時に持ち忘れることがない、エプロン型買物袋を得る。【解決手段】ポケットを縫着した表生地と、中央上辺部に手提げを縫合した裏生地とを重ね合わせ、左右両辺縁部と下辺縁部を縫合して上辺部を開放した袋体にあって、前記表生地と裏生地の各上辺部を折り返し縫合して筒部を形成し、該表生地と裏生地の各筒部の左右より紐を挿入すると共に当該紐の先端部を筒内の任意の位置でそれぞれ縫合し、前記紐の他端部は適度な長さを有して筒部の外部に延長させて成る【選択図】図１
0003163071.tif 000002
【実用新案登録請求の範囲】
【請求項１】
ポケットを縫着した表生地と、中央上辺部に手提げを縫合した裏生地とを重ね合わせ、左右両辺縁部と下辺縁部を縫合して上辺部を開放した袋体にあって、前記表生地と裏生地の各上辺部を折り返し縫合して筒部を形成し、該表生地と裏生地の各筒部の左右より紐を挿入すると共に当該紐の先端部を筒内の任意の位置でそれぞれ縫合し、前記紐の他端部は適度な長さを有して筒部の外部に延長させて成ることを特徴とした、エプロン型買物袋。
【考案の詳細な説明】
【技術分野】
【０００１】  本考案は、スーパーマーケット等で購入した商品を持ち運ぶための買物袋に関し、通常はエプロンや巻きスカートとして使用し、買物時には買物袋として変形する、エプロン型買物袋に関するものである。
【背景技術】
【０００２】  一般にスーパーマーケット等で商品を購入する場合、買物客は店舗に備え付けられた買物かごに商品を入れた後、レジカウンターにて代金の支払いを行っている。該レジカウンターでは、店員が前記買物かごから商品を取り出し、バーコードリーダーにかざして金額を読み取り、順次別の買物かごに移し替えていく。集計が終わると、購入した商品を入れるためのポリ袋を店員より貰い又は別途購入すると共に、代金の支払いを行う。その後、商品を移し替えた買物かごを商品仕分け用カウンターまで移動し、前記ポリ袋に購入した商品を移し替えて持ち帰る。【０００３】  しかし、上記従来の方法にあっては、買物客は買物をするたびに購入した商品をポリ袋に移し替える必要があり、余計な手間と労力が必要であった。また、スーパーマーケット等の店舗は前記作業を行わせるための商品仕分け用カウンターを用意する必要があり、余計な経費とスペースが必要であった。【０００４】  さらに、近年にあっては環境保護活動が盛んとなり、上記ポリ袋はごみとして廃棄されると環境に悪影響を及ぼすため、消費削減が呼びかけられている。このため、一部のスーパーマーケット等では購入した商品を入れるためのポリ袋を有料化したり、買物時において自分専用の買物袋いわゆるマイバッグの持参を呼びかけている。【０００５】  上記課題を解決すべく、例えば特開２００１−０８７０２２号公報の『手提げバッグ』や、特開２００２−１９９９２０号公報の『買物用バッグ』では、レジカウンターにて代金の支払いを行う際に、店舗に備え付けられた買物かごの内寸に適合した広い開口部と手提げを有したバッグを商品移し替え用の買物かごに装着し、店員は商品の入った買物かごから商品を取り出し、バーコードリーダーにかざして金額を読み取りながら順次前記バッグが装着された買物かごに移し替えていく。代金の支払いが済めば、当該買物かごよりバッグを外すだけで持ち帰ることができるため、商品仕分け用カウンターで購入した商品をポリ袋に移し替える必要がなくなる。このようにして、買物客側の余計な手間と労力の削減及び店舗側の経費とスペースの削減を図ると共に、ポリ袋の消費削減を図るための提案が記載されている。【０００６】
【特許文献１】特開２００１−０８７０２２
【特許文献２】特開２００２−１９９９２０
【考案の開示】
【考案が解決しようとする課題】
【０００７】  しかしながら、上記いずれの公報に記載のバッグは、スーパーマーケット等の店舗に備え付けられた買物かごの内部に装着させるため、当該店舗の買物かごの内寸に適合した大きさと形状を有して成形したものである。このため、レジカウンターで代金の支払いを済ませるまでは当該バッグを持ち歩いて買物をする必要があり、邪魔で煩わしいという問題点があった。また、自宅内においても保管場所が必要となるため、同様の問題点があった。さらに、例え上記バッグが折り畳み式等となりコンパクトになったとしても、そのコンパクトさ故に買物時に持ち忘れて目的が果たせなくなるという懸念がある。【０００８】  本考案は、上記問題点を解決するために成されたものであり、形状が嵩張ることもなくコンパクトであり、エプロンや巻きスカートとして常に身に付けることにより買物時に持ち忘れることがない、エプロン型買物袋を提供することを目的とする。
【課題を解決するための手段】
【０００９】  上記課題を解決するため、本考案のエプロン型買物袋は、ポケットを縫着した表生地と、中央上辺部に手提げを縫合した裏生地とを重ね合わせ、左右両辺縁部と下辺縁部を縫合して上辺部を開放した袋体にあって、前記表生地と裏生地の各上辺部を折り返し縫合して筒部を形成し、該表生地と裏生地の各筒部の左右より紐を挿入すると共に当該紐の先端部を筒内の任意の位置でそれぞれ縫合し、前記紐の他端部は適度な長さを有して筒部の外部に延長させて成る。
【考案の効果】
【００１０】  本考案のエプロン型買物袋は、エプロンや巻きスカートとして使用することができるため、家事をしている際には常に身に付けることができ、形状が嵩張ることもなく、買物時に持ち忘れることもないという絶大なる効果を奏する。
【考案を実施するための最良の形態】
【００１１】  本考案を実施するための最良の形態を図を用いて説明する。【００１２】  図１は本考案のエプロン型買物袋の外形図であり、（ａ）は正面図、（ｂ）は背面図、（ｃ）は平面図である。また、図６は図１の（ｃ）におけるＡ部拡大図である。該図に示すように、本考案のエプロン型買物袋１は、ポケット５，５を縫着した表生地２と、中央上辺部に手提げ７を縫合した裏生地３とを重ね合わせ、左右両辺縁部と下辺縁部を縫合して上辺部を開放した袋体にあって、前記表生地２と裏生地３の各上辺部を折り返し縫合して筒部８，８を形成し、該表生地２と裏生地３の各筒部８，８の左右より紐４，４を挿入すると共に当該紐４，４の先端部を筒８，８内の任意の位置（図１では縫合部９，９の位置）でそれぞれ縫合し、前記紐４，４の他端部は適度な長さを有して筒部８，８の外部に延長させて成る。【００１３】  なお、上記のように構成したエプロン型買物袋１の袋体は、上辺部がすべて開放するため、該上辺部内面に面ファスナー６を少なくとも１箇所に設け、開閉自在にすると好適である。図１の（ｃ）では、表生地２の上辺中央部内面に面ファスナー６ａを設け、これと対面する裏生地３の上辺中央部内面に面ファスナー６ｂを設けている。【００１４】  また、紐４の長さは、上記袋体をエプロンや巻きスカートの生地とした際に、これを腰に巻いて左右の紐４，４でゆとりをもって縛れる長さとするのが好適である。【００１５】  図２は本考案のエプロン型買物袋を巻きスカートとして使用した例である。この場合、上述の袋体を巻きスカートの生地として腰に巻き、紐４，４にてそのまま後ろで縛って使用する。該巻きスカートは、調理を仕事にしている人や、家事を行っている男性が使用しても違和感がなく、男女兼用として好適である。【００１６】  図３は本考案のエプロン型買物袋をエプロンとして使用した例である。この場合、上述の袋体において紐４，４を通した左右の筒部８，８をそれぞれの縫合部９，９側に縮めてギャザー１０，１０を形成する。そして、これをエプロンの生地として腰に巻き、紐４，４にてそのまま後ろで縛って使用する。該エプロンは、一般の主婦が日常使用するものとして好適である。【００１７】  上記エプロン型買物袋１の形状は、図１、図２、図３に記載したものに限定することはなく、例えば袋体の角に丸みを付けたり、周囲にフリルを付けるなど、任意にデザインされたものであっても構わない。さらに、大きさ，色，柄，材質なども任意で構わない。また、ポケット５の大きさ，個数，深さなども任意で構わない。特にポケット５を深くすると、ネギなどの長尺物を入れるのに好適となる。【００１８】  次に、上記エプロン型買物袋１を身に付けた人がスーパーマーケット等で買物をしてレジカウンターで代金の支払いを行う際の手順について説明する。まず、商品の入った買物かごをレジカウンターに載せ、店員が用意した商品移し替え用の空の買物かごの内部に、今まで身に付けていたエプロン型買物袋１を装着する。【００１９】  図４は本考案のエプロン型買物袋を買物袋として買物かごに入れた状態図であり、空の買物かご１１の内部にエプロン型買物袋１を入れた後、該エプロン型買物袋１の上辺部を前記空の買物かご１１の縁で折り返し、さらに該エプロン型買物袋１の袋体を空の買物かご１１の内面に沿わせて装着する。【００２０】  上記のようにエプロン型買物袋１を装着した空の買物かご１１を、商品移し替え用の買物かごとして使用してもらうよう店員に依頼する。そして、店員はバーコードリーダーにて商品金額の読み取りと、商品の移し替えを行う。【００２１】  集計が終わり代金の支払いを済ませた後は、エプロン型買物袋１の上辺部を買物かご１１の縁より外し、紐４，４を縛って閉じる。図５は本考案のエプロン型買物袋を買物袋として使用した状態図であり、商品の入ったエプロン型買物袋１の紐４，４を縛り、その結び目部分と当該エプロン型買物袋１の中央上辺部に設けた手提げ７を手１２で持ち上げることにより、購入した商品をそのまま持ち運べることができる。
【図面の簡単な説明】
【００２２】
【図１】本考案のエプロン型買物袋の外形図である。
【図２】本考案のエプロン型買物袋を巻きスカートとして使用した例である。
【図３】本考案のエプロン型買物袋をエプロンとして使用した例である。
【図４】本考案のエプロン型買物袋を買物袋として買物かごに入れた状態図である。
【図５】本考案のエプロン型買物袋を買物袋として使用した状態図である。
【図６】図１の（ｃ）におけるＡ部拡大図である。
【符号の説明】
【００２３】    １  エプロン型買物袋
２  表生地
３  裏生地
４  紐
５  ポケット
６  面ファスナー
７  手提げ
８  筒部
９  縫合部
１０  ギャザー
１１  買物かご
１２  手
【図１】
0003163071.tif 000003
【図２】
0003163071.tif 000004
【図３】
0003163071.tif 000005
【図４】
0003163071.tif 000006
【図５】
0003163071.tif 000007
【図６】
0003163071.tif 000008